(57)【要約】【課題】単独での使用と複数人での使用を必要に応じて選択できるブースを提供する。【解決手段】ブース１は、４面の側壁４Ａ〜４Ｄで四角形筒状に区画された内部空間８を有する。内部空間８はアコーディオン式のスクリーン９の伸縮によって複数の個別空間１３Ａ、１３Ｂに分割可能である。スクリーン９を第一天板１５Ａと第二天板１５Ｂの間の小さな隙間Ｓ内に収納することで単一空間を形成できる。スクリーン９を引き延ばして内部空間８を仕切ることで、２室の個別空間１３Ａ、１３Ｂに分割できる。背面側の側壁４Ｃには第一天板１５Ａと第二天板１５Ｂが固定され、両端の下面をブラケット１６で支持している。正面の側壁４Ａには中央壁面４ａの両側に個別空間１３Ａ、１３Ｂに出入り可能なドア６Ａ、６Ｂを設けている。【選択図】図１
2020147983.tif 000002
【特許請求の範囲】
【請求項１】
内部空間を区画する側壁と、
前記内部空間を単一空間と複数の個別空間との間で切り換えて仕切る可動仕切り部と、
前記内部空間に設置されていて前記単一空間及び前記個別空間で使用可能な什器と、
前記内部空間を開閉可能な扉と、
を備えたことを特徴とするブース。
【請求項２】
前記什器は並列に配設され、前記複数の個別空間で使用する際に、前記可動仕切り部で前記什器を分けることで前記内部空間を仕切っている請求項１に記載されたブース。
【請求項３】
前記什器は向い合せに配設され、前記複数の個別空間で使用する際に、前記可動仕切り部で前記什器を分けることで前記内部空間を仕切っている請求項１に記載されたブース。
【請求項４】
前記可動仕切り部は伸縮可能または昇降可能なスクリーンである請求項１から３のいずれか１項に記載されたブース。
【請求項５】
前記スクリーンは前記什器と干渉することなく前記内部空間を仕切る切欠部を有している請求項４に記載されたブース。
【請求項６】
前記可動仕切り部は進退可能な仕切り板である請求項１から３のいずれか１項に記載されたブース。
【発明の詳細な説明】
【技術分野】
【０００１】
本発明は、側壁で区画された内部空間を有するブースに関する。
【背景技術】
【０００２】
従来、オフィスや展示場や公共施設等において、執務や打ち合わせやテレビ会議等を行うためのブースが設置されていることがある。特に、近年、オフィスのフリーアドレス化や携帯端末やパソコン等のＩＣＴ（情報通信技術）を活用したモバイルワークが進展している。そのため、各種の移動先でブースを利用して執務や打ち合わせ等を行う機会が増加している。スモールオフィスとしても利用可能である。
【０００３】
このようなブースの一例として、例えば特許文献１に記載されたブース装置が提案されている。このブース装置は、オフィスや展示場等において周壁で仕切られた内部空間内に机とモニター等が設置され、利用者が椅子に着座して単独で執務できるようになっている。
このブース装置は一人で集中作業を行う用途であるため、一人用のブースが提案されている。一方、複数人数での打ち合わせやミーティング、研修等を行うために２名用のブースも提案されている。
【先行技術文献】
【特許文献】
【０００４】
【特許文献１】特開２０１４−３７６７１号公報
【発明の概要】
【発明が解決しようとする課題】
【０００５】
しかしながら、２名用のブースは内部空間に２名分のスペースがありながら、１つの空間であるため独立した集中作業等の執務は１名でしか行えなかった。また、これらのブースは１名による執務等の作業の方が２名以上による打ち合わせ等の作業よりニーズが多かった。そのため、１名用のブースと２名用のブースを別個に設置するのは利用効率が悪くてコスト高になるという問題があった。
【０００６】
本願発明は、このような課題に鑑みてなされたもので、単独での使用と複数人での使用を必要に応じて選択できるブースを提供することを目的とする。
【課題を解決するための手段】
【０００７】
本発明によるブースは、内部空間を区画する側壁と、内部空間を単一空間と複数の個別空間との間で切り換えて仕切る可動仕切り部と、内部空間に設置されていて単一空間及び個別空間で使用可能な什器と、内部空間を開閉可能な扉と、を備えたことを特徴とする。
本発明によれば、内部空間に対して可動仕切り部を進退させることで単一空間と複数の個別空間との間で切り換えて使用可能であり、複数の個別空間ではそれぞれの利用者が独立して什器を使用可能であり、単一空間では複数の利用者が共同で什器を使用可能である。
【０００８】
また、什器は並列に配設され、複数の個別空間で使用する際に、可動仕切り部で什器を分けることで内部空間を仕切っていることが好ましい。
什器は連続してまたは分離して配設されているため、単一空間では什器全体を共同で利用でき、複数の個別空間では可動仕切り部で分割された個々の什器を独立して個別に利用できる。
【０００９】
また、什器は向い合せに配設され、複数の個別空間で使用する際に、可動仕切り部で什器を分けることで内部空間を仕切っていることが好ましい。
什器は連続してまたは分離して配設されているため、向い合せに配設した什器は、単一空間では什器全体を共同で利用でき、複数の個別空間では可動仕切り部で分割された個々の什器を独立して個別に利用できる。
【００１０】
また、可動仕切り部は伸縮可能または昇降可能なスクリーンであることが好ましい。
可動仕切り部としてのスクリーンは横方向にスライドさせたり上下方向に昇降させたりすることで、単一空間または複数の個別空間として利用できる。
【００１１】
また、スクリーンは什器と干渉することなく内部空間を仕切る切欠部を有していてもよい。
内部空間を複数の個別空間に分割する際、進退または昇降するスクリーンまたはカーテンの切欠部が什器に対向することで可動仕切り部が邪魔にならない。
【００１２】
また、可動仕切り部は進退可能な仕切り板であってもよい。
内部空間を単一空間として使用する際、仕切り板は複数の什器の隙間に収納すれば邪魔にならず、個別空間として使用する際には仕切り板を内部空間に進出させることで仕切ることができる。
【発明の効果】
【００１３】
本発明に係るブースによれば、複数人で共同で使用する場合には内部空間を可動仕切り部で仕切ることなく単一空間として使用でき、個別に使用する場合には可動仕切り部で内部空間を仕切ることで複数の個別空間として個別に使用することができる。
【図面の簡単な説明】
【００１４】
【図１】本発明の第一実施形態によるブースを複数の個別空間に仕切った斜視図である。
【図２】図1に示すブースの使用状態を示す平面図である。
【図３】ブースの単一空間での斜視図である。
【図４】図３に示すブースの使用状態を示す平面図である。
【図５】第二実施形態によるブースを個別空間に仕切った斜視図である。
【図６】図５に示すブースの使用状態の平面図である。
【図７】ブースの単一空間での斜視図である。
【図８】第三実施形態によるブースの単一空間での斜視図である。
【図９】第四実施形態によるブースの個別空間での使用状態を示す平面図である。
【図１０】第五実施形態によるブースの個別空間を示す平面図である。
【図１１】第六実施形態によるブースの個別空間での使用状態を示す平面図である。
【図１２】第七実施形態によるブースの個別空間での使用状態を示す平面図である。
【図１３】第八実施形態によるブースの個別空間での使用状態を示す平面図である。
【図１４】図１３に示すブースの側断面図である。
【図１５】第九実施形態によるブースの単一空間での斜視図である。
【図１６】図１５に示すブースの個別空間での使用状態を示す平面図である。
【図１７】第九実施形態の変形例によるブースの使用状態を示す平面図である。
【発明を実施するための形態】
【００１５】
以下、本発明の各実施形態によるブースを添付図面に基づいて説明する。
図１乃至図４は、本発明の第一実施形態によるブース１を示すものである。
本実施形態によるブース１は、オフィスや公共施設等において床面上に設置され、例えば天井部分が開口した四角形筒状に形成されている。ブース１は四角形筒状の各角部に設置された４本の支柱２Ａ〜２Ｄと、隣接する２本の支柱２Ａ、２Ｂ、２Ｃ、２Ｄ同士を上端でそれぞれ連結する４本の梁部３Ａ〜３Ｄとを有している。隣接する２本の支柱２Ａ、２Ｂ、２Ｃ、２Ｄとその間の梁部３Ａ、３Ｂ、３Ｃ、３Ｄは面板状の側壁４Ａ〜４Ｄで互いに連結されている。
【００１６】
側壁４Ａ〜４Ｄは適宜の材質で形成できるが、本実施形態では、例えば側壁４Ａを正面の側壁４Ａとして、対向する側壁４Ｃは不透明な樹脂や鋼材、または木製板材からなる背面の側壁４Ｃとされている。背面の側壁４Ｃの両側の側壁４Ｂ、４Ｄは例えばガラス面とされている。正面の側壁４Ａは中央に例えばガラス面からなる中央壁面４ａを設置し、その両側の開口に例えばガラス製のドア６Ａ、６Ｂが開閉可能に設置されている。
【００１７】
ブース１は４枚の側壁４Ａ〜４Ｄで区画された略直方体形状の内部空間８を有している。背面の側壁４Ｃと対向する中央壁面４ａの間には例えばアコーディオン式のスクリーン（カーテン）９が水平方向に開閉可能に設置されている。このスクリーン９は例えば蛇腹式に折り畳みと引き伸ばしが可能であり、下端部にキャスター(図示しない)が取り付けられていてもよい。
このスクリーン９は例えば背面の側壁４Ｃ（または中央壁面４ａ）に収納時に折り畳んだ状態で保持する基部１０を固定している。スクリーン９の反対側端部には、引き伸ばした際に中央壁面４ａ（または背面の側壁４Ｃ）に固定した金属部に固着するマグネット１１等が設置されている。
【００１８】
ブース１は、図１及び図２に示すように、スクリーン９を伸張して引き延ばしてマグネット１１を中央壁面４ａに固着することで内部空間８が２室に仕切られ、２室の個別空間１３Ａ、１３Ｂとなる。また、図３及び図４に示すように、スクリーン９を基部１０に収納した状態では内部空間８が単一空間になる（図３参照）。
内部空間８において、背面の側壁４Ｃにはスクリーン９の基部１０の一方側に机として第一天板１５Ａが固定され、他方側に第二天板１５Ｂが固定されている。第一天板１５Ａと第二天板１５Ｂは背面の側壁４Ｃに並んで配設されている。この配列を並列とする。しかも、第一天板１５Ａと第二天板１５Ｂの間には、スクリーン９が伸縮移動するための僅かな隙間Ｓが設定されている。
【００１９】
そのため、第一天板１５Ａと第二天板１５Ｂは直線状に配列されている。隙間Ｓ内にスクリーン９を折り畳んで収納して内部空間８を単一空間として使用する場合には、第一天板１５Ａと第二天板１５Ｂの間の隙間Ｓに断面略Ｔ字型の遮蔽板１７を設置することで、一体の天板として利用できる。
第一天板１５Ａと第二天板１５Ｂの下面には例えば三角形状のブラケット（受け具）１６がそれぞれ両端に固定され、背面の側壁４Ｃに固定している。そして、第一天板１５Ａ、第二天板１５Ｂの近傍には使用者が着座するための椅子１８Ａ、１８Ｂがそれぞれ設置されている。
【００２０】
なお、第一天板１５Ａと第二天板１５Ｂを支持する部材として、ブラケット１６に代えて床面に延ばす脚部を設置してもよいし、吊り具によって梁部３Ｃ等から吊り下げ支持してもよい。或いは、第一天板１５Ａと第二天板１５Ｂの背面側の端部と外側の側端部を、直交する二面の背面の側壁４Ｃ及び側壁４Ｄ、背面の側壁４Ｃ及び側壁４Ｂによってそれぞれ固定支持してもよい。
本実施形態では、第一天板１５Ａ及び第二天板１５Ｂ、椅子１８Ａ及び椅子１８Ｂが内部空間８に設置された什器になり、単一空間と個別空間１３Ａ、１３Ｂの両方で使用可能である。
【００２１】
本第一実施形態によるブース１は上述した構成を有しており、次にその使用方法について説明する。
図１及び図２に示すように、ブース１の内部空間８をスクリーン９で仕切った状態で、２室の個別空間１３Ａ、１３Ｂとして独立して使用することができる。この場合、利用者Ａ、Ｂは個別にドア６Ａ，６Ｂを開けて個別空間１３Ａ、１３Ｂにそれぞれ入る。そして、利用者Ａ，Ｂは個々に第一天板１５Ａ、第二天板１５Ｂの前で椅子１８Ａ，１８Ｂに着座してパソコンや携帯端末や書類等で個々に執務を行うことができる。内部空間８はスクリーン９で仕切られているため、利用者Ａ、Ｂは個々の執務に集中できる。
【００２２】
また、ブース１内で２名の利用者Ａ、Ｂが打ち合わせやミーティング等を行う場合、スクリーン９を基部１０に折り畳んで隙間Ｓ内に収納する。すると、内部空間８は単一空間になる。そして、必要に応じて第一天板１５Ａ及び第二天板１５Ｂの隙間Ｓを遮蔽板１７で覆うことで、第一天板１５Ａ及び第二天板１５Ｂを一体の天板として使用できる。或いは、遮蔽板１７を設置しなくても隙間Ｓは小さいので、第一天板１５Ａ及び第二天板１５Ｂをそのまま一体の天板として使用できる。そのため、２人の利用者Ａ、Ｂは第一天板１５Ａ及び第二天板１５Ｂ上に資料等を広げて、打ち合わせや共同作業等を行える。
【００２３】
上述したように本実施形態によるブース１は、並列の第一天板１５Ａ及び第二天板１５Ｂの隙間Ｓにスクリーン９を引き延ばして遮蔽するか折り畳んで収納するかによって、内部空間８を単一空間として、または独立した２つの個別空間１３Ａ、１３Ｂとして選択的に利用できる。単一空間であっても、第一天板１５Ａ及び第二天板１５Ｂは隙間Ｓが小さいので、或は遮蔽板１７で隙間Ｓを塞ぐことで一体の天板として使用できる。
しかも、利用者Ａ、Ｂが共同作業後に個別作業を行う場合、或いは個別作業後に共同作業を行う場合でも、ブース１を移動する必要がなく同一の内部空間８内でスクリーン９を開閉移動するだけで効率よく切り替えて作業を行うことができる。
【００２４】
なお、本発明は上述の第一実施形態によるブース１に限定されることはなく、本発明の要旨を逸脱しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００２５】
次に本発明の第二実施形態によるブース１Ａについて図５乃至図７により説明する。
本第二実施形態によるブース１Ａでは、第一天板１５Ａと第二天板１５Ｂは側壁４Ａ〜４Ｄに固定されておらず、内部空間８の中央に島状に対向して向い合せに設置されている。第一天板１５Ａと第二天板１５Ｂはそれぞれ脚部２０によって床面上に支持されている。
しかも、第一天板１５Ａと第二天板１５Ｂの間に隙間Ｓが設定されている。この隙間Ｓ内には第一天板１５Ａと第二天板１５Ｂの間に複数枚の仕切り板２１が重ねて設置されている。
【００２６】
そして、ブース１Ａの内部空間８を仕切って独立した２つの個別空間１３Ａ、１３Ｂとする場合には、仕切り板２１を不図示のモータ等によって順次第一天板１５Ａと第二天板１５Ｂの間の隙間Ｓから例えば梁部３Ａ〜３Ｄの高さ位置まで上昇させて内部空間８を仕切る。図５に示す例では３枚の仕切り板２１によって内部空間８を個別空間１３Ａ、１３Ｂに仕切っている。
この状態で、図６に示すように、利用者Ａ、Ｂは仕切られた２つの個別空間１３Ａ、１３Ｂ内で個別に執務等の作業を集中して行うことができる。しかも、利用者Ａ、Ｂは個別のドア６Ａ，６Ｂから個別に個別空間１３Ａ、１３Ｂ内に出入りできる。
【００２７】
また、ブース１内で２名の利用者Ａ、Ｂが打ち合わせ等の共同作業を行う場合、第一天板１５Ａと第二天板１５Ｂの上方に突出して空間を仕切る仕切り板２１を降下させる。複数の仕切り板２１が第一天板１５Ａと第二天板１５Ｂの隙間Ｓ内に納まることで天板を広く使用でき、図７に示すように内部空間８を単一空間に切り換えることができる。
そして、必要に応じて第一天板１５Ａ及び第二天板１５Ｂの隙間Ｓは仕切り板２１で覆われているため、第一天板１５Ａ及び第二天板１５Ｂを一体の天板として使用できる。そのため、２人の利用者Ａ、Ｂは第一天板１５Ａ及び第二天板１５Ｂ上に資料等を広げて、打ち合わせや共同作業等を行える。
【００２８】
特に本第二実施形態によるブース１Ａでは、第一天板１５Ａ及び第二天板１５Ｂが側壁４Ａ〜４Ｄから離れて内部空間８の中央に対向して設置されている。そのため、利用者Ａ，Ｂが向き合って打ち合わせをしたり、利用者Ａが他の利用者Ｂに対してプレゼンテーションをしたり、教育や指導を行う等の場合に効率よく進めることができる。
しかも、仕切り板２１は第一天板１５Ａと第二天板１５Ｂの隙間Ｓ内に隠れているため外観の見栄えが良い。
【００２９】
次に本発明の第三実施形態によるブース１Ｂを図８により説明する。
本実施形態では、ブース１Ｂは基本構成が第二実施形態によるブース１Ａと共通している。本実施形態では内部空間８の中央に設置された第一天板１５Ａと第二天板１５Ｂの間に隙間Ｓと仕切り板２１は設けられておらず、第一天板１５Ａと第二天板１５Ｂは一体に形成されている。本実施形態において、ブース１Ｂの対向する梁部３Ａ、３Ｃ間にロールスクリーン２３が設置されている。ロールスクリーン２３の軸部２３ａが梁部３Ａ、３Ｃに連結されている。
そして、内部空間８を単一空間として使用する場合には、ロールスクリーン２３はスクリーン２２が巻き上げられている。また、内部空間８を２つの個別空間１３Ａ、１３Ｂとして使用する場合には、ロールスクリーン２３からスクリーン２２を降下させて第一天板１５Ａと第二天板１５Ｂの境界に着座させる。これによって内部空間８を２室の個別空間１３Ａ、１３Ｂに仕切ることができる。
【００３０】
なお、スクリーン２２の下端部を第一天板１５Ａ及び第二天板１５Ｂの幅に応じてコの字状に切り欠いて形成してもよい。このように構成すれば、スクリーン２２を降下させた際に第一天板１５Ａと第二天板１５Ｂを仕切るだけでなく、対向する正面の側壁４Ａ及び背面の側壁４Ｃと第一天板１５Ａ及び第二天板１５Ｂとの間の空間も仕切ることができる。
或いは、第一天板１５Ａと第二天板１５Ｂの間に隙間Ｓが形成されていてもよい。この場合には、スクリーン２２の下端部をコの字状に切り欠かなくてもスクリーン２２を第一天板１５Ａ及び第二天板１５Ｂの隙間Ｓを通して床面まで降下できる。これにより、内部空間８を２室の個別空間１３Ａ、１３Ｂに仕切ることができる。
【００３１】
次に、次に本発明の第四実施形態によるブース１Ｃについて図９により説明する。
本第四実施形態によるブース１Ｃでは、背面の側壁４Ｃの長手方向半分以下の領域に開口とドア６Ａを設け、残りの半分以上の領域を壁面４ｃで閉鎖している。また、正面の側壁４Ａでも、ドア６Ａとは反対側の長手方向の半分以下の領域に開口とドア６Ｂを設け、残りの半分以上の領域を中央壁面４ａで閉鎖している。
【００３２】
また、ブース１Ｃの内部空間８において、正面の側壁４Ａの中央壁面４ａに第一天板２４Ａを固定し、その一側端部を側壁４Ｄにも固定している。第一天板２４Ａは正面の中央壁面４ａと側壁４Ｄの二面で固定支持され、しかも利用者Ａが着座する側の前端部２４ａは側壁４Ｄから離間する方向に奥行きが広くなるように湾曲形成されている。
また、背面の側壁４Ｃの壁面４ｃには第二天板２４Ｂを固定し、その一側端部を側壁４Ｂにも固定している。第二天板２４Ｂは背面の側壁４Ｃと側壁４Ｂの二面で固定支持され、しかも利用者Ｂが着座する側の前端部２４ｂは側壁４Ｂから離間する方向に奥行きが広くなるように湾曲形成されている。
【００３３】
また、第一天板２４Ａと第二天板２４Ｂの各前端部２４ａ、２４ｂに隣接する側端部２４ａａ、２４ｂｂの間には小さな隙間Ｓが形成されている。この隙間Ｓ内に昇降可能な複数枚の仕切り板２１が収納されている。
ブース１Ｂの内部空間８を２つの個別空間１３Ａ、１３Ｂとして仕切って使用する場合には複数の仕切り板２１の一部を第一天板２４Ａ及び第二天板２４Ｂの隙間Ｓから上昇させて梁部３Ａ〜３Ｄの高さ程度に設置すればよい。これによって、利用者Ａ、Ｂは仕切り板２１で仕切られた個別空間１３Ａ、１３Ｂ内で個々に執務等の作業に集中できる。
【００３４】
また、ブース１Ｃの内部空間８を単一空間として使用する場合には仕切り板２１を第一天板２４Ａ及び第二天板２４Ｂの天面以下の高さに収納すればよい。これによって仕切り板２１を第一天板２４Ａ及び第二天板２４Ｂの隙間Ｓ内に隠すことができる。第一天板２４Ａ及び第二天板２４Ｂは幅の最も広い側端部２４ａａ、２４ｂｂ同士が隙間Ｓを介して対向配置されている。
そのため、打ち合わせ等の共同作業をする際に、第一天板２４Ａ及び第二天板２４Ｂの対向する側端部２４ａａ、２４ｂｂの幅が長いので広い天板が得られて使用可能スペースが大きい。利用者Ａ、Ｂは第一天板２４Ａ及び第二天板２４Ｂの上に資料を広げる等して共同作業をすることができる。
【００３５】
次に第五実施形態によるブース１Ｄについて図１０により説明する。
図１０に示すブース１Ｄは例えば六角形筒状に形成されている。本実施形態では、支柱２Ａ〜２Ｆ、梁部３Ａ〜３Ｆ、側壁４Ａ〜４Ｆによって六角形筒状に形成されている。内部空間８において、第一天板２７Ａと第二天板２７Ｂは４つの角部間に並列に配設され、それぞれ２つの側壁４Ａ及び４Ｆ、側壁４Ａ及び４Ｂによって２辺の側端部がそれぞれ固定されている。
【００３６】
図１０は内部空間８を２つの個別空間１３Ａ、１３Ｂとして仕切った構成を示すものである。第一天板２７Ａと第二天板２７Ｂの間には小さな隙間Ｓが形成され、隙間Ｓには例えばアコーディオン式のスクリーン９が伸縮可能に配設されている。利用者Ａ、Ｂは、例えば側壁４Ｅに設けたドア６Ａと側壁４Ｃに設けたドア６Ｂを通して個別空間１３Ａ、１３Ｂに出入り可能とされている。
なお、内部空間８を個別空間１３Ａ、１３Ｂに仕切ることができるブース１〜１Ｄの構成は四角形筒状や六角形筒状に限定されるものではない。例えば五角形筒状や八角形筒状等、適宜の多角形筒状や円筒形等のものを採用できる。
【００３７】
次に第六実施形態によるブース１Ｅについて図１１により説明する。
本実施形態によるブース１Ｅは六角形筒状に形成されている。本実施形態では、内部空間８内の中央に平面視台形状の第一天板２９Ａと第二天板２９Ｂが対向して配設され、第一天板２９Ａと第二天板２９Ｂの隙間Ｓに昇降可能な複数の仕切り板２１が設置されている。仕切り板２１は内部空間８を単一空間として使用する場合には、仕切り板２１は第一天板２９Ａと第二天板２９Ｂの天面以下に収納され、個別空間１３Ａ、１３Ｂとして使用する場合には、一部の仕切り板２１が第一天板２９Ａと第二天板２９Ｂの上方に延びて内部空間８を２つの個別空間１３Ａ、１３Ｂに仕切っている。
【００３８】
第一天板２９Ａと第二天板２９Ｂは内部空間８の中央に設置されたため、六角形筒状に配設された側壁４Ａ〜４Ｆに連結されておらず、全周に亘って空間が形成されている。そして、第一天板２９Ａと第二天板２９Ｂに対して、利用者Ａ，Ｂが着座する椅子１８Ａ、１８Ｂの背面側の側壁４Ａ、４Ｄにドア６Ａ、６Ｂがそれぞれ形成されている。
本実施形態では、仕切り板２１を第一天板２９Ａと第二天板２９Ｂの天面以下に収納して内部空間８を単一空間として使用する場合、利用者Ａ、Ｂが向き合って椅子１８Ａ、１８Ｂに着座しているため、打ち合わせや指導等の会話を行いやすい。
【００３９】
次に第七実施形態によるブース１Ｆについて図１２により説明する。
本実施形態によるブース１Ｆは六角形筒状に形成されている。本実施形態では、内部空間８内の中央に五角形状の第一天板３１Ａと第二天板３１Ｂと第三天板３１Ｃが対向して配設されている。第一天板３１Ａと第二天板３１Ｂと第三天板３１Ｃは、それぞれ隙間Ｓを介して対向しており、全体で平面視六角形状とされている。各隙間Ｓにはそれぞれ仕切り板２１が昇降可能に配設されている。
内部空間８を仕切るように配設された六角形筒状の側壁４Ａ〜４Ｆにおいて、第一天板３１Ａと第二天板３１Ｂと第三天板３１Ｃの中央の辺に対向する側壁４Ａ、４Ｃ、４Ｅにはドア６Ａ、６Ｂ、６Ｃがそれぞれ形成されている。
【００４０】
本実施形態によるブース１Ｆにおいて、内部空間８を単一空間として使用する場合には、仕切り板２１が第一天板３１Ａと第二天板３１Ｂと第三天板３１Ｃの天面より下側に収納されている。この状態で、３人の利用者Ａ，Ｂ，Ｃは互いに向き合った状態で打ち合わせ等ができる。また、仕切り板２１が第一天板３１Ａと第二天板３１Ｂと第三天板３１Ｃの間の隙間Ｓから上方、例えば梁部３Ａ〜３Ｆの高さ程度まで上昇して配設された場合には、内部空間８は３つの個別空間１３Ａ，１３Ｂ，１３Ｃに仕切られる。この状態では、独立した３つの個別空間１３Ａ，１３Ｂ，１３Ｃ内で利用者Ａ、Ｂ、Ｃが個々に集中して執務等の作業を行える。各利用者Ａ、Ｂ、Ｃは各側壁４Ａ，４Ｃ、４Ｅに設けられたドア６Ａ、６Ｂ、６Ｃから３つの個別空間１３Ａ，１３Ｂ，１３Ｃ内に個々に出入り可能とされている。
【００４１】
なお、各ブース１Ｆの内部空間８は２室または３室の個別空間１３Ａ、１３Ｂ、１３Ｃに仕切る構成に限定されるものではなく、仕切り板２１によって４つ以上の個別空間１３Ａ、１３Ｂ、１３Ｃ、…に仕切ることができる。
【００４２】
次に本発明の第八実施形態によるブース１Ｇについて図１３及び図１４により説明する。
本実施形態によるブース１Ｇは四角形筒状に形成されている。
ブース１Ｇの四角形筒状の側壁４Ａ〜側壁４Ｄで仕切られた内部空間８において、背面の側壁４Ｃには第一天板１５Ａと第二天板１５Ｂが連続して固定されている。本実施形態において第一天板１５Ａと第二天板１５Ｂは一体形成されている。しかも、第一天板１５Ａ及び第二天板１５Ｂの両側端部はそれぞれ側壁４Ｂ、側壁４Ｄに固定されているが、これに代えて側壁４Ｃに固定されたブラケット１６で支持されていてもよい。
【００４３】
また、内部空間８には２つの個別空間１３Ａ、１３Ｂに仕切ることができるアコーディオン式のスクリーン３３が設置されている。このスクリーン３３は例えば正面の側壁４Ａの中央壁面４ａにスクリーン３３の一端部に連結された基部１０が設置され、他端部にはスクリーン３３を引き延ばして背面の側壁４Ｃに固着可能なマグネット１１が設置されている。しかも、図１４に示すように、スクリーン３３は引き伸ばした際に、その下部に第一天板１５Ａ及び第二天板１５Ｂの天面でその境界を仕切る切欠部３３ａが形成されている。そのためスクリーン３３は略Ｌ字状に形成されている。
【００４４】
そのため、図１３及び図１４に示すブース１Ｇにおいて、スクリーン３３の正面の側壁４Ａの中央壁面４ａから引き伸ばされてマグネット１１が背面の側壁４Ｃに固着された状態で、内部空間８が２室の個別空間１３Ａ、１３Ｂに区画される。このとき、スクリーン３３は切欠部３３ａが第一天板１５Ａ及び第二天板１５Ｂの境界の天面上に位置し、切欠部３３ａのない部分では下部が床面上に位置している。
この状態で、利用者Ａ，Ｂは個別空間１３Ａ、１３Ｂ内で個々に椅子１８Ａ、１８Ｂに着座して第一天板１５Ａ及び第二天板１５Ｂの前に対面する。利用者Ａ、Ｂは個々に執務やその他の作業に集中することができる。
【００４５】
また、スクリーン３３が正面の側壁４Ａの中央壁面４ａに折り畳まれて収納された状態で、内部空間８が単一空間とされる。この状態で、利用者Ａ、Ｂが資料を第一天板１５Ａ及び第二天板１５Ｂの上に広げる等して打ち合わせ等ができる。
特に本実施形態では、内部空間８を単一空間として利用する際、第一天板１５Ａ及び第二天板１５Ｂを一体に形成したから広く利用できる。しかも、内部空間８をスクリーン３３で２室の個別空間１３Ａ、１３Ｂに仕切った状態でも、スクリーン３３が第一天板１５Ａ及び第二天板１５Ｂ上でたるんだりしないから邪魔にならない。
【００４６】
なお、上述した第八実施形態の変形例として、横方向に伸縮可能なスクリーン３３に変えて、第三実施形態に示すロールスクリーン２３を梁部３Ａ、３Ｃ間に設置してもよい。この場合、昇降可能なスクリーン２２の下端部に、上述したスクリーン３３と同様に切欠部を設ける。このスクリーン２２を一体形成した第一天板１５Ａ及び第二天板１５Ｂに対向する位置に設けることで、内部空間８をスクリーン２２で個別空間１３Ａ、１３Ｂに仕切った際に、切欠部が第一天板１５Ａ及び第二天板１５Ｂの境界に降下する。
【００４７】
次に本発明の第九実施形態によるブース１Ｈについて図１５及び図１６により説明する。
本実施形態によるブース１Ｈは四角形筒状に形成されている。ブース１Ｈの四角形筒状の側壁４Ａ〜側壁４Ｄで仕切られた内部空間８において、対向する側壁４Ｂ、側壁４Ｄ側にはそれぞれソファ３５Ａ、３５Ｂが向い合せに設置されている。そして、背面の側壁４Ｃ側には、例えばホワイトボード３６が設置されている。背面の側壁４Ｃに対向する正面の側壁４Ａには幅方向中央に中央壁面４ａが設置され、その両側には開口を開閉可能なドア６Ａ、６Ｂが設置されている。
そして、内部空間８の天井部には対向する梁部３Ａと梁部３Ｃの間にロールスクリーン２３が設置されている。ロールスクリーン２３の軸部２３ａが梁部３Ａ、３Ｃに連結されている。
【００４８】
ブース１Ｈにおいて、内部空間８を単一空間として使用する場合には、ロールスクリーン２３にはスクリーン２２が巻き上げられている。この状態で、利用者Ａ、Ｂはソファ３５Ａ、３５Ｂに個々に着座したり一方のみに着座したりして、ホワイトボード３６の全体を使用する等して、打ち合わせやミーティング等を行える。
内部空間８を２つの個別空間１３Ａ、１３Ｂとして分割する場合には、ロールスクリーン２３からスクリーン２２を床面に降下させて個別空間１３Ａ、１３Ｂに仕切る。この状態で、各個別空間１３Ａ、１３Ｂにはそれぞれソファ３５Ａ、３５Ｂが設置されている。しかもホワイトボード３６は降下したスクリーン２２で２つに仕切られており、各個別空間１３Ａ、１３Ｂで利用者Ａ、Ｂが個別に半分の区画のホワイトボード３６を使用可能とされている。そのため、利用者Ａ、Ｂは個別にソファ３５Ａ、３５Ｂやホワイトボード３６の半分の区画を使用する等して独立して執務や作業等をすることができる。或いは、ソファ３５Ａ、３５Ｂは利用者Ａ，Ｂが個別空間１３Ａ、１３Ｂでそれぞれ使用可能であると共に、ホワイトボード３６は単一空間でのみ使用可能としてもよい。
本実施形態において、ソファ３５Ａ、３５Ｂやホワイトボード３６は什器に含まれる。
【００４９】
なお、上述の実施形態によるブース１Ｈにおいて、変形例として、ホワイトボード３６に代えて大型のディスプレイを配置して什器として使用してもよい。或いは、各個別空間１３Ａ、１３Ｂ毎に側壁４Ｃや側壁４Ｂ及び側壁４Ｄ等に個々にホワイトボード３６やディスプレイを設置してもよい。
また、ブース１Ｈの内部空間８において、背面の側壁４Ｃにホワイトボード３６やディスプレイを設置せず、背面の側壁４Ｃ側の個別空間１３Ａ、１３Ｂにそれぞれソファ３５Ａ、３５Ｂを設置してもよい。或いは、背面の側壁４Ｃ側に個別空間１３Ａ及び１３Ｂに亘る長いソファを設置してもよい。
【００５０】
なお、上述した各実施形態等では、内部空間８の正面の側壁４Ａ等に個別空間１３Ａ、１３Ｂ毎にドア６Ａ、６Ｂを設置したがドアは１つでもよい。例えば、図１７に示すブース１Ｊにおいて、ロールスクリーン２３のスクリーン２２で内部空間８を個別空間１３Ａ及び１３Ｂで仕切ったものとする。正面の側壁４Ａにおいて、スクリーン２２の両側に延びる中央領域に個別空間１３Ａ及び１３Ｂに出入り可能な開口３８を設け、その両側に端部壁面４ｂ、４ｂが形成されている。そして、開口３８に対して左右方向にスライド可能なドア３９が設置されている。両側の端部壁面４ｂ、４ｂにはドア３９のスライドをストップさせるストッパー４０Ａ、４０Ｂが設置されている。
【００５１】
そして、利用者Ａ、Ｂが個別空間１３Ａ及び１３Ｂの一方、例えば個別空間１３Ａに出入りする場合には、ドア３９を反対側にスライドさせてストッパー４０Ｂに当接させた位置で、ドア３９は開口３８の個別空間１３Ａに連通する部分だけ開放させることができる。逆に、個別空間１３Ｂに出入りする場合には、ドア３９を反対側にスライドさせてストッパー４０Ａに当接させた位置で、ドア３９は開口３８の個別空間１３Ｂに連通する部分だけ開放させることができる。そのため、１つのドア３９でも、個別空間１３Ａまたは個別空間１３Ｂに出入りする際、他の個別空間１３Ｂまたは個別空間１３Ａを開放させることがない。そのため、出入りの際に、誤って他の個別空間１３Ａ、１３Ｂを開放したりしない。
【００５２】
なお、上述した各実施形態においてロールスクリーン２３を用いた場合、ロールスクリーン２３のスクリーン２２は下部の一部が切り欠かれた切欠部を設けてもよい。スクリーン２２を降下させて複数の個別空間１３Ａ、１３Ｂ、…に仕切る際、切欠部によって複数の個別空間１３Ａ、１３Ｂ、…に跨って連続するソファを設けた場合でも、ソファと干渉することなく分割したり仕切ったりすることができる。
なお、側壁４Ａ〜４Ｄで仕切られた内部空間８を単一空間と複数の個別空間１３Ａ、１３Ｂ、…との間で区画して仕切る、または切り替えるスクリーン９、仕切り板２１、ロールスクリーン２３は可動仕切り部に含まれる。
【００５３】
また、ブースの内部空間に什器として棚を設置してもよい。内部空間８の背面の側壁４Ｃ側に棚を設置した場合、スクリーン９等で内部空間８の棚を単一空間として使用した場合や個別空間１３Ａ、１３Ｂに仕切った場合に、利用者は単一またはスクリーン９で分割された棚で執務等を行える。
また、ドア６Ａ、６Ｂ、６Ｃ、３９は扉に含まれる。
可動仕切り部として、複数枚のパネルによって構成された移動間仕切りであっても良い。
また、上述した各実施形態によるブース１、１Ａ、１Ｂ、１Ｃ、１Ｄ、１Ｅ、１Ｆ、１Ｇ、１Ｈ、１Ｊは執務用に限定されるものではなく、各種の作業を行う際に使用可能なブースに含まれる。
【符号の説明】
【００５４】
１、１Ａ、１Ｂ、１Ｃ、１Ｄ、１Ｅ、１Ｆ、１Ｇ、１Ｈ、１Ｊ  ブース
４Ａ  正面の側壁
４Ｂ、４Ｄ  側壁
４Ｃ  背面の側壁
４ａ  中央壁面
４ｂ  端部壁面
６Ａ、６Ｂ、６Ｃ、３９  ドア
８  内部空間
９  スクリーン
１３Ａ、１３Ｂ、１３Ｃ  個別空間
１５Ａ、２４Ａ、２７Ａ、２９Ａ、３１Ａ  第一天板
１５Ｂ、２４Ｂ、２７Ｂ、２９Ｂ、３１Ｂ  第二天板
１７  遮蔽板
１８Ａ、１８Ｂ  椅子
２１  仕切り板
２２、３３  スクリーン
２３  ロールスクリーン
３１Ｃ  第三天板
３３ａ  切欠部
３５Ａ、３５Ｂ  ソファ
３６  ホワイトボード
３８  開口
【図１】
2020147983.tif 000003
【図２】
2020147983.tif 000004
【図３】
2020147983.tif 000005
【図４】
2020147983.tif 000006
【図５】
2020147983.tif 000007
【図６】
2020147983.tif 000008
【図７】
2020147983.tif 000009
【図８】
2020147983.tif 000010
【図９】
2020147983.tif 000011
【図１０】
2020147983.tif 000012
【図１１】
2020147983.tif 000013
【図１２】
2020147983.tif 000014
【図１３】
2020147983.tif 000015
【図１４】
2020147983.tif 000016
【図１５】
2020147983.tif 000017
【図１６】
2020147983.tif 000018
【図１７】
2020147983.tif 000019